(57)【特許請求の範囲】
【請求項１】
クライアントの表面検出モジュールが、前記クライアントの走査表面上に置かれてきた複数の物体のそれぞれを、前記クライアントの前記走査表面を用いて前記物体を走査することによって識別するステップと、
前記クライアントの広告ターゲティングモジュールが、前記識別された複数の物体のそれぞれが前記走査表面上に置かれていた経過時間に基づく重み付けに基づいて、出力されるべき広告を探し出すステップと、
前記クライアントのイメージ投影モジュールが、前記走査表面上に前記広告を表示するステップと、
を備える方法。
【請求項２】
前記クライアントは、テーブルのフォームファクターを有し、さらに
前記走査表面は、前記クライアントのテーブル上面の一部として含まれる請求項１に記載の方法。
【請求項３】
前記識別するステップは、前記クライアントの前記走査表面の下に配置された前記クライアントの１つまたは複数のカメラを使用して実行されるイメージ認識を介して実行される請求項１に記載の方法。
【請求項４】
前記識別するステップは、少なくとも部分的に、前記物体の少なくとも一部分のバーコード走査または光学文字認識を介して実行される請求項１に記載の方法。
【請求項５】
前記識別するステップは、少なくとも部分的に、１つまたは複数の無線周波数識別技術を使用して実行される請求項１に記載の方法。
【請求項６】
前記探し出すステップは、前記クライアント上にローカルで格納されている１つまたは複数の広告から選択するように実行される請求項１に記載の方法。
【請求項７】
前記探し出すステップは、ネットワークを介して前記クライアントから遠隔で格納されている１つまたは複数の広告から選択するように実行される請求項１に記載の方法。
【請求項８】
前記広告を表示するステップは、別のクライアント上のテレビコンテンツの出力に対応するように実行される請求項１に記載の方法。
【請求項９】
前記表示するステップは、前記クライアントの近くに配置された別のクライアントに前記広告を表示させるように実行される請求項１に記載の方法。
【請求項１０】
前記クライアントの近くに配置された前記別のクライアントは、テレビとして構成される請求項９に記載の方法。
【請求項１１】
前記物体は、印刷された広告であり、さらに
前記広告は、前記広告を表示するように、前記クライアントの近くに配置されたテレビに出力されることになる請求項１に記載の方法。
【請求項１２】
コンテンツを表示する走査表面と、
前記走査表面上に置かれてきた複数の物体のそれぞれを、前記走査表面を用いて前記物体を走査することによって識別する表面検出モジュールと、
前記識別された複数の物体のそれぞれが前記走査表面上に置かれていた経過時間に基づく重み付けに基づいて、出力されるべき広告を探し出す広告ターゲティングモジュールと、
前記走査表面上に前記広告を表示するイメージ投影モジュールと、
を備えるクライアント。
【請求項１３】
前記走査表面は、テーブルのフォームファクターを有する筐体の一部分として含まれる請求項１２に記載のクライアント。
【請求項１４】
前記走査表面は、前記走査表面に触れることによって複数のユーザーによって同時に操作可能である前記走査表面上のユーザーインターフェースを出力するようにさらに構成される請求項１２に記載のクライアント。
【請求項１５】
前記イメージ投影モジュールは、前記走査表面上に前記コンテンツ及び前記広告を表示するリアプロジェクションシステムを含み、
前記表面検出モジュールは、
前記走査表面上に赤外線を投射する１つまたは複数の赤外線プロジェクターと、
前記走査表面の赤外線イメージをキャプチャーする１つまたは複数の赤外線カメラと、
前記赤外線イメージを処理して、前記１つまたは複数の物体を検出する検出モジュールと、
を含む請求項１２に記載のクライアント。
【発明の詳細な説明】
【背景技術】
【０００１】
[0001]広告がコンテンツの提供を資金的にサポートするのに使用され続けている。しかし、広告の出力は、依然として、広告と一緒に出力されるコンテンツに従来どおり結び付けられており、コンテンツの「外側」に存在することが可能な他の要素には結び付けられていない。
【０００２】
[0002]例えば、スポーツ商品に関する宣伝が、その広告がターゲット消費者に届く尤度を高めるようにスポーツイベントに付随させられることが可能である。しかし、従来の技術において、広告主は、実際の視聴者についての情報を全くといっていいほど有さない。代わりに、広告主は、一般的なデータ収集技術（例えば、世論調査技術）に依拠して、そのコンテンツを見た、または過去に類似するコンテンツを見た視聴者の一般化された特徴を特定することを余儀なくされる。
【０００３】
[0003]このため、従来の広告技術は、特定のコンテンツと対話する、例えば、テレビ番組を観る、ウェブページを閲覧するなどする視聴者について、広告主が「最善の推量」をすることに任せる。また、これらの従来の技術は、その視聴者が広告主によって提供される製品またはサービスの潜在的な消費者である尤度がより高いかどうかを、広告主が推量することに任せる。したがって、従来の技術は、広告主がターゲット視聴者に達することに、より困難があり、消費者が、適切な広告を受け取る確率がより低い可能性があり、さらにコンテンツプロバイダーが視聴者の不確かさのために収益を失う可能性があるので、非効率である可能性がある。
【発明の概要】
【発明が解決しようとする課題】
【０００４】
[0004]物体識別技術を使用するターゲットを絞った広告が説明される。或る実施形態において、クライアントの表面上に置かれた物体が、クライアントによって識別される。識別された物体に対応する広告が探し出され、出力される。
【課題を解決するための手段】
【０００５】
[0005]１つまたは複数の実施形態において、クライアントの表面上に置かれた複数の物体のそれぞれが識別される。この複数の物体のそれぞれの識別情報が格納される。格納された識別情報に対応する１つまたは複数の広告の出力のターゲットが絞られる。
【０００６】
[0006]１つまたは複数の実施形態において、クライアントは、コンテンツを表示する表面と、１つまたは複数のモジュールとを含む。この１つまたは複数のモジュールは、その表面上にイメージが表示されるようにし、その表面上に置かれた１つまたは複数の物体を識別し、さらに、その識別された１つまたは複数の物体に対応するように１つまたは複数の広告の出力のターゲットを絞るように構成される。
【０００７】
[0007]この概要は、詳細な説明において後段でさらに説明される選定された概念を、簡略化された形態で概説するように与えられる。この概要は、主張される主題の重要な特徴、または不可欠な特徴を特定することは意図しておらず、主張される主題の範囲を確定する助けとして用いられることも意図していない。
【０００８】
[0008]詳細な説明は、添付の図を参照して説明される。それらの図において、参照符号の左端の数字は、その参照符号が最初に出現する図を識別する。説明および図において異なる事例で同一の参照符号が使用されることにより、同様の、または同一のアイテムが示される可能性がある。
【図面の簡単な説明】
【０００９】
【図１】[0009]物体識別を使用して広告のターゲットを絞るように動作可能である例示的な実施形態における環境を示す図である。
【図２】[0010]図１のクライアントをより詳細に示す例示的な実施形態におけるシステムを示す図である。
【図３】[0011]クライアントの表面上の物体の識別に基づいて広告が出力される例示的な実施形態における手順を説明する流れ図である。
【図４】[0012]或る期間にわたる複数の物体の格納された識別情報が、広告のターゲットを絞る基礎として使用される例示的な実施形態における手順を説明する流れ図である。
【図５】[0013]印刷された広告が他の広告と結び付けられる例示的な実施形態における手順を説明する流れ図である。
【発明を実施するための形態】
【００１０】
[0014]概観
従来の広告技術において、広告主は、実際の視聴者についての情報を全くといっていいほど有さない。したがって、従来の広告技術は、特定のコンテンツと対話する、例えば、テレビ番組を観る、ウェブページを閲覧するなどする視聴者について、広告主が「最善の推量」をすることに任せる。したがって、これらの従来の技術は、広告主がターゲット視聴者に達することに、より困難があり、消費者が、消費者の関心対象である適切な広告を受け取る確率がより低い可能性があり、さらにコンテンツプロバイダーが視聴者の不確かさのために収益を失う可能性があるので、非効率である可能性がある。
【００１１】
[0015]物体識別技術を使用するターゲットを絞った広告が説明される。或る実施形態において、広告の出力は、クライアントの表面上に置かれた１つまたは複数の物体に基づく。例えば、クライアントは、テーブルのフォームファクターに従うように構成されることが可能である。また、クライアントは、テーブルの表面、例えば、テーブル上面の上にどのような物体が置かれたかを特定する機能を含むことも可能である。その表面上に置かれている特定の物体の識別が、次に、広告のターゲットを絞るのに使用されることが可能である。例えば、或る特定のブランドの自動車のための自動車の鍵のセットが、そのブランドの自動車と関係する広告のターゲットを絞るのに使用されることが可能である。これらの広告は、その表面自体を使用すること、クライアントにローカルで配置された別のクライアント（例えば、テレビ）を使用することなどの、様々な仕方で出力されることが可能である。このようにして、広告主は、それらの広告に関心がある尤度がより高い視聴者にターゲットを絞ることができる。
【００１２】
[0016]以下の説明において、最初に、物体識別を使用して広告のターゲットを絞る１つまたは複数の技術を実行するように動作可能である例示的な環境が説明される。次に、この例示的な環境、およびその他の環境を使用して実施されることが可能である例示的な手順が説明される。したがって、これらの手順の実施は、この例示的な環境に限定されず、さらに、この例示的な環境は、これらの例示的な手順の実施に限定されない。
【００１３】
[0017]例示的な環境
図１は、物体識別を使用して広告のターゲットを絞る技術を使用するように動作可能である例示的な実施形態における環境１００を示す図である。図示される環境１００は、テレビとして構成された別のクライアント１０６にネットワーク１０４を介して通信するように結合されたクライアント１０２と、コンテンツ１１０を有するコンテンツプロバイダー１０８と、１つまたは複数の広告１１４を有する広告主１１２とを含む。
【００１４】
[0018]クライアント１０２は、様々な仕方で構成されることが可能である。例えば、クライアント１０２は、デスクトップコンピューターなどのネットワーク１０４を介して通信することができるコンピューター、移動局、エンターテイメント機器、ディスプレイデバイスに通信するように結合されたセットトップボックス、無線電話機、ゲームコンソールなどとして構成されることが可能である。このため、クライアント１０２は、相当なメモリーリソースおよびプロセッサーリソースを有する完全リソースデバイス（例えば、パーソナルコンピューター、ゲームコンソール）から、限られたメモリーリソースおよび／または処理リソースが限られている低リソースデバイス（例えば、従来のセットトップボックス、ハンドヘルドゲームコンソール）まで様々であることが可能である。また、クライアント１０２は、クライアントを操作する個人および／またはエンティティと関係することも可能である。つまり、クライアント１０２は、ソフトウェアおよび／またはコンピューティングデバイスを含む論理クライアントを表すことが可能である。
【００１５】
[0019]ネットワーク１０４は、インターネットとして図示されるものの、ネットワーク
は、多種多様な構成を想定することが可能である。例えば、ネットワーク１０４には、ＷＡＮ（ワイドエリアネットワーク）、ＬＡＮ（ローカルエリアネットワーク）、無線ネットワーク、公衆交換電話網、イントラネットなどが含まれることが可能である。さらに、単一のネットワーク１０４が示されるものの、ネットワーク１０４は、複数のネットワークを含むように構成されてもよい。例えば、クライアント１０２と他方のクライアント１０６が、ローカルネットワーク接続を介して互いに通信するように結合されることが可能である。さらに、クライアント１０２は、インターネットを介してコンテンツプロバイダー１０８に通信するように結合されることが可能である。同様に、広告主１１２が、インターネットを介してコンテンツプロバイダー１０８に通信するように結合されることが可能である。また、多種多様な他の実例も企図される。
【００１６】
[0020]図示される環境１００において、クライアント１０２は、テーブルのフォームファクターを有するものとして例示される。テーブルフォームファクターは、複数の脚１１８を有する筐体１１６を含む。筐体１１６は、図１に例示される自動車などの１つまたは複数のイメージを表示するように構成された表面１２０を有するテーブル上面を含む。
【００１７】
[0021]クライアント１０２は、表面コンピューティングモジュール１２２を含むものとしてさらに図示される。表面コンピューティングモジュール１２２は、表面１２０を活用するコンピューティング関連の機能を提供するクライアント１０２の機能を表す。例えば、表面コンピューティングモジュール１２２は、表面１２０を介してユーザーインターフェースを出力するように構成されることが可能である。また、表面コンピューティングモジュール１２２は、表面１２０との対話を検出し、その結果、ユーザーインターフェースとの対話を検出するようにも構成されることが可能である。したがって、ユーザーは、様々な仕方で表面１２０を介してユーザーインターフェースと対話することができる。
【００１８】
[0022]例えば、ユーザーは、１本または複数本の指を、表面１２０に触れることによってカーソル制御デバイスとして、絵筆として、イメージを操作するのに（例えば、イメージをサイズ変更し、動かすのに）、ファイルを転送するのに（例えば、クライアント１０２と別のクライアント１０６の間で）、インターネットブラウジングによってネットワーク１０４を介してコンテンツ１１０を獲得するのに、クライアント１０２にローカルである別のクライアント１０６と対話する、などに（例えば、その別のクライアント１０６によって出力されるべきコンテンツを選択するように）、使用することができる。このため、クライアント１０２の表面コンピューティングモジュール１２２は、出力デバイスと入力デバイスの両方として、様々な異なる仕方で表面１２０を活用することができ、このことのさらなる説明は、図２に関連して見ることができる。
【００１９】
[0023]クライアント１０２は、広告ターゲティングモジュール１２４を有するものとしても図示されている。広告ターゲティングモジュール１２４は、物体識別を使用してターゲットを絞った広告を提供するクライアント１０２の機能を表す。例えば、前述したとおり、表面コンピューティングモジュール１２２は、入力デバイスとしての表面１２０と連携して動作することが可能である。したがって、表面１２０上に置かれた物体が、表面コンピューティングモジュール１２２によって検出されることが可能である。次に、これらの物体が、広告ターゲティングモジュール１２４によって識別されて、表面１２０上に物体を置いたユーザーに適切である尤度がより高い１つまたは複数の広告１１４を選択するのに使用されることが可能である。このようにして、広告ターゲティングモジュール１２４は、表面１２０上に物体を置いた特定のユーザーにターゲットを絞った機会を広告主１１２に提供することができ、このことのさらなる説明は、後続の図に関連して見ることができる。
【００２０】
[0024]一般に、本明細書で説明される機能のいずれも、ソフトウェア、ファームウェア（例えば、既定の論理回路）、手動処理、または以上の実施形態の組合せを使用して実施され得る。本明細書で使用される「モジュール」、「機能」、および「論理」という用語は、概して、ソフトウェア、ファームウェア、またはソフトウェアとファームウェアの組合せを表す。ソフトウェア実施形態の場合、モジュール、機能、または論理は、プロセッサー（例えば、ＣＰＵまたは複数のＣＰＵ）上で実行されると、指定されたタスクを実行
するプログラムコードを表す。このプログラムコードは、１つまたは複数のコンピューター可読メモリデバイスの中に格納されることが可能であり、このことのさらなる説明は、図２に関連して見ることができる。後段で説明される表面技術の特徴は、プラットフォーム独立であり、つまり、これらの技術は、様々なプロセッサーを有する様々な市販のコンピューティングプラットフォーム上で実施されることが可能である。
【００２１】
[0025]図２は、図１のクライアント１０２をより詳細に示す例示的な実施形態におけるシステム２００を示す。クライアント１０２は、図１の表面コンピューティングモジュール１２２を含み、モジュール１２２は、この事例では、プロセッサー２０２とメモリー２０４とを含むものとして図示される。プロセッサーは、プロセッサーが形成される材料、またはプロセッサーにおいて用いられる処理機構によって限定されない。
【００２２】
[0026]例えば、プロセッサーは、半導体および／またはトランジスター（例えば、電子ＩＣ（集積回路））から成ることが可能である。そのようなコンテキストにおいて、プロセッサー実行可能命令は、電子的に実行可能な命令であることが可能である。代替として、プロセッサーの機構、もしくはプロセッサーのための機構、したがって、コンピューティングデバイスの機構、もしくはコンピューティングデバイスのための機構には、量子コンピューティング、光コンピューティング、機械コンピューティング（例えば、ナノテクノロジーを使用する）などが含まれることが可能であるが、以上には限定されない。さらに、単一のメモリー２０４が示されているものの、ＲＡＭ（ランダムアクセスメモリー）、ハードディスクメモリー、リムーバブルメディアメモリー、およびその他のタイプのコンピューター可読媒体などの、多種多様なタイプおよび組合せのメモリーが使用されることが可能である。
【００２３】
[0027]クライアント１０２は、プロセッサー２０２上でオペレーティングシステム２０６を実行するものとして図示され、オペレーティングシステム２０６は、やはりメモリー２０４の中に格納可能である。オペレーティングシステム２０６は、メモリー２０４の中に格納されるものとして図示される１つまたは複数のアプリケーション２０８などに対して、基礎をなすクライアント１０２のハードウェア機能およびソフトウェア機能を抽象化するように実行可能である。図２の、このシステム２００において、広告ターゲティングモジュール１２４は、クライアント１０２のメモリー２０４の中に格納されたアプリケーション２０８の１つとして例示され、例えば、広告ターゲティングモジュール１２４は、図示される実例において実行可能なモジュールである。
【００２４】
[0028]表面コンピューティングモジュール１２２は、イメージ投影モジュール２１０と、表面検出モジュール２１２とを含むものとしても図示される。イメージ投影モジュール２１０は、イメージを表面１２０上に表示するクライアント１０２の機能を表す。リアプロジェクションシステム、ＬＣＤなどの使用を介してなど、様々な異なる技術が、イメージを投影するのにイメージ投影モジュール２１０によって使用されることが可能である。
【００２５】
[0029]表面検出モジュール２１２は、１つまたは複数の物体を、表面１２０近くに配置された際に検出するクライアント１０２の機能を表す。表面検出モジュール２１２は、ＲＦ  ＩＤ（無線周波数識別）、イメージ認識、バーコード走査、光学文字認識などの様々な異なる技術を使用して、この検出を実行することができる。
【００２６】
[0030]例えば、図２の表面検出モジュール２１２は、１つまたは複数の赤外線プロジェクター２１４と、１つまたは複数の赤外線カメラ２１６と、検出モジュール２１８とを含むものとして図示される。１つまたは複数の赤外線プロジェクター２１４は、表面１２０上に赤外線および／または近赤外線を投射するように構成される。次に、１つまたは複数の赤外線カメラ２１６は、赤外線プロジェクター２１４によって出力された、反射された赤外線のイメージをキャプチャーするように構成されることが可能である。
【００２７】
[0031]例えば、それぞれのユーザーの手２２０、２２２の指、ユーザーの電話機２２４、および鍵２２６などの物体が、表面１２０を介して赤外線カメラ２１６によって見える。図示される実例において、赤外線カメラ２１６は、表面１２０の、ユーザーの手２２０、２２２とは反対側に配置され、例えば、クライアント１０２の筐体内部に配置される。次に、検出モジュール２１８は、赤外線カメラ２１６によってキャプチャーされたイメー
ジを分析して、表面１２０上に置かれた物体を検出する。次に、この分析の出力が、オペレーティングシステム２０６、アプリケーション２０８などに供給されることが可能である。
【００２８】
[0032]或る実施形態において、表面検出モジュール２１２は、単一の時点で複数の物体を検出することができる。例えば、それぞれのユーザーの手２２０、２２２の指が、オペレーティングシステム２０６によって出力されるユーザーインターフェースとの対話に関して検出されることが可能である。このようにして、クライアント１０２は、複数のユーザーとの同時の対話をサポートすることができる。
【００２９】
[0033]クライアント１０２は、ジェスチャーをサポートすることも可能であり、ジェスチャーは、ユーザーインターフェースと対話するのに使用されることが可能である。例えば、様々なジェスチャーが、イメージを拡大すること、イメージを回転させること、デバイス間でファイルを移動すること、コンテンツの或る特定のアイテムの出力を選択することなどに使用されることが可能である。イメージキャプチャーを使用する検出について説明してきたものの、ＲＦＩＤ、「サウンディング」技術（例えば、レーダーに類似する超音波技術）、バイオメトリック（例えば、温度）などの、様々な他の技術が、表面コンピューティングモジュール１２２によって、さらに、より詳細には、表面検出モジュール２１２によって、クライアント１０２の表面１２０上に、または表面１２０近くに置かれた物体を検出するのに使用されることも可能である。また、本発明の趣旨および範囲を逸脱することなく、クライアント１０２の表面１２０との対話を活用するのに使用され得る様々な他の技術も企図される。
【００３０】
[0034]或る実施形態において、広告ターゲティングモジュール１２４は、クライアント１０２の表面１２０上の物体の検出を活用することが可能である。例えば、ユーザーが、表面１２０上に鍵２２６を置くことが可能である。次に、鍵２２６が表面検出モジュール２１２によって検出されることが可能であり、すると、モジュール２１２は、鍵２２６が検出されたという通知を広告ターゲティングモジュール１２４に出力することが可能である。この通知は、鍵２２６のブランドに固有である数値識別子、広告ターゲティングモジュール１２４によるさらなる処理のための鍵２２６のイメージなどの、様々な仕方で構成されることが可能である。
【００３１】
[0035]次に、広告ターゲティングモジュール１２４は、表面１２０上に置かれた物体を識別し、この識別情報を、広告のターゲットを絞るための基礎として使用することが可能である。前述の例を続けると、広告ターゲティングモジュール１２４は、鍵２２６に関連する特定のブランドを識別し、表面１２０を介して、そのブランドに対応する広告を出力することが可能である。このことの例が、イメージ投影モジュール２１０によって表面１２０上に出力された自動車２２８のイメージとして図２に例示される。別の実施例において、ネットワーク１０４を介してクライアント１０２に通信するように結合された別のクライアント１０６によって出力される自動車の広告２３０などの、ターゲットを絞った広告が、その別のクライアントによって出力されることが可能である。また、様々な他の実施例も企図され、それらの実施例のさらなる説明は、後続の図に関連して見ることができる。
【００３２】
[0036]例示的な手順
以下の説明は、前述したシステムおよびデバイスを利用して実施されることが可能な表面コンピューティング技術を説明する。これらの手順の各手順の態様は、ハードウェアで、ファームウェアで、またはソフトウェアで、あるいは以上の組合せで実施されることが可能である。これらの手順は、１つまたは複数のデバイスによって実行される動作を指定するブロックのセットとして示され、それぞれのブロックによる動作を実行することに関して示される順序に必ずしも限定されない。以下の説明のいくつかの部分において、図１の環境１００、および図２のシステム２００が参照される。
【００３３】
[0037]図３は、広告がクライアントの表面上の物体の識別に基づいて出力される例示的な実施形態における手順３００を示す。クライアントの表面上に置かれた物体が識別される（ブロック３０２）。例えば、クライアント１０２は、クライアント１０２の表面１２
０がほぼ水平であるように、テーブルのフォームファクターに従って構成され得る。したがって、クライアント１０２には、ユーザーの世帯、小売店、建物のロビーなどにおけるコーヒーテーブルなど、多種多様な環境において出合うことが可能である。さらに、表面１２０は水平であるため、図２に関連して前述したとおり、電話機２２４または鍵２２６などの様々な異なる物体が表面１２０上に置かれることが可能である。
【００３４】
[0038]次に、この物体が、イメージ認識、光学文字認識、ＲＦＩＤ，バーコード走査などの様々な異なる技術を使用してクライアント１０２によって識別されることが可能である。例えば、鍵２２６が、表面検出モジュール２１２によって読取り可能な標識（例えば、バーコード）を含むことが可能である。次に、この標識が、或る特定のブランドの自動車に鍵２２６が対応することを識別するなど、この物体を識別するのに広告ターゲティングモジュール１２４によって使用されることが可能である。また、イメージ認識を介して、鍵２２６に対応する自動車のブランドの特定のロゴを識別するなど、様々な他の実例も企図される。
【００３５】
[0039]識別された物体に対応する広告が探し出される（ブロック３０４）。例えば、その特定のブランドの自動車を製造する自動車製造業者、および／またはその自動車製造業者の競合他社の広告に関してなど、広告ターゲティングモジュール１２４が、鍵２２６に対応する自動車のブランドに対応する広告を探し出すことが可能である。
【００３６】
[0040]次に、この広告が出力されることが可能である（ブロック３０６）。例えば、この広告は、クライアント１０２の表面１２０の少なくとも一部分を使用して表示されることが可能であり（ブロック３０８）、このことの例が、図２のクライアント１０２の表面１２０上に表示されている自動車２２８によって示される。別の実例において、クライアント１０２は、この広告が、識別を実行するクライアント１０２の近くに配置された別のクライアントによって表示されるようにすること（ブロック３１０）が可能であり、このことの例が、図２における広告２３０を出力する他方のクライアント１０６によって示される。
【００３７】
[0041]このため、表面１２０を有するクライアント１０２は、様々な仕方で広告のターゲットを絞ることができる。例えば、広告ターゲティングは、クライアント１０２の表面１２０上に現在、置かれている物体に基づくことが可能である。例えば、来客が、数人の友人と一緒にスポーツイベントを観に来て、表面１２０上にキーチェーンを置く可能性がある。クライアント１０２は、それらの鍵の１つまたは複数が或る特定の自動車に対応することを認識し、他方のクライアント１０６に、その自動車の、より新しいモデルの広告を出力させることが可能である。
【００３８】
[0042]別の例において、クライアント１０２は、クライアント１０２の表面１２０上に現在、置かれている物体の数を考慮に入れることが可能である。例えば、いくつかの「スマート」フォンが表面１２０上に置かれることが可能であり、このことが、スマートフォンと関係する１つまたは複数の広告を出力する基礎として使用されることが可能である。また、クライアント１０２は、１つまたは複数のヒューリスティック技術を利用して、或る期間にわたってクライアント１０２の表面１２０上に置かれていた物体に広告の出力を基づかせることも可能であり、このことのさらなる説明は、以下の手順に関連して見ることができる。
【００３９】
[0043]図４は、或る期間にわたる複数の物体の格納された識別情報が、広告のターゲットを絞るのに使用される例示的な実施形態における手順４００を示す図である。クライアントの表面上に置かれてきた複数の物体のそれぞれが識別される（ブロック４０２）。例えば、クライアント１０２は、コーヒーテーブルとして構成され、ユーザーの世帯におけるテレビの前に置かれることが可能である。或る期間にわたって、様々な異なる物体がクライアント１０２の表面１２０上に置かれることが可能である。
【００４０】
[0044]したがって、複数の物体のそれぞれが、図１〜図３に関連して前述した技術の１つまたは複数を使用して識別されることが可能である。複数の物体のそれぞれの識別情報が、クライアント１０２のメモリー２０４などの中に、ネットワーク１０４を介して遠隔で（例えば、ウェブに）など、格納されることが可能である（ブロック４０４）。
【００４１】
[0045]次に、これらの格納された識別情報に対応するように１つまたは複数の広告のターゲットが絞られることが可能である（ブロック４０６）。例えば、広告ターゲティングモジュール１２４が、様々な異なる「幼児関連の」アイテム（例えば、おしゃぶりおよび哺乳瓶）が表面１２０上に置かれてきたことを識別し、それに相応して、幼児関連のテーマを有するように広告の出力のターゲットを絞ることが可能である。広告ターゲティングモジュール１２４は、物体の数、および／または物体が表面１２０上に置かれていた経過時間に基づく重み付けなどの、様々な異なる技術を使用して、いずれの広告が出力されるべきかを判定することができる。このため、広告ターゲティングモジュール１２４は、クライアント１０２の表面１２０上に現在、何が置かれているか、および／または過去にクライアント１０２の表面１２０上に置かれてきた物体に基づいて、広告のターゲットを絞ることができる。
【００４２】
[0046]図５は、印刷された広告が他の広告と結び付けられる例示的な実施形態における手順５００を示す。クライアントの表面上に置かれた、印刷された広告が識別される（ブロック５０２）。例えば、印刷された広告は、クライアント１０２の表面１２０上に印刷された広告を置くことによって、製品またはサービス「についてさらに詳しく知る」ようにユーザーを誘うテキストを含むことが可能である。印刷された広告は、その特定の広告を識別するのに使用される「広告コード」を含むことが可能である。また、ＯＣＲまたは他のイメージ認識技術を介して、印刷された広告の主題、ＲＦＩＤタグなどを識別するなどの、様々な他の実施例も企図される。
【００４３】
[0047]印刷された広告に対応する広告が探し出される（ブロック５０４）。例えば、広告ターゲティングモジュール１２４が、印刷された広告の中で識別された或る特定のウェブサイトにアクセスすること、広告コードを使用して、その広告のネットワークアドレスを探し出すことなどができる。次に、探し出された広告が、クライアント１０２の表面１２０および／または別のクライアント１０６を使用することなどによって、出力されることが可能である（ブロック５０６）。このようにして、ユーザーは、関心対象のさらなる情報を得るのにクライアント１０２を活用することができる。本発明の趣旨および範囲を逸脱することなく、広告を結び付けることの様々な他の実施例も企図される。
【００４４】
[0048]結論
本発明は、構造上の特徴および／または方法上の動作に特有の言い回しで説明されてきたものの、添付の特許請求の範囲において規定される本発明は、説明される特定の特徴または動作に必ずしも限定されないことを理解されたい。むしろ、特定の特徴および動作は、請求される発明を実施する例示的な形態として開示される。
【図１】
0005658669.tif 000002
【図２】
0005658669.tif 000003
【図３】
0005658669.tif 000004
【図４】
0005658669.tif 000005
【図５】
0005658669.tif 000006